(57)【要約】【目的】ネットワーク上で分散管理されているコンテンツファイルをダウンロードする時に、必要な消費電力を最小にするような省電力コンテンツ管理システムを提供する。【解決手段】他のネットワーク端末と通信を行うネットワーク通信部１１，１２と、自端末が保存しているコンテンツに関する情報とそれを提供するために必要な消費電力の情報を持つコンテンツ管理リスト及び周辺のネットワーク端末のコンテンツ管理リストを保存するコンテンツ管理リスト記憶部１４と、ネットワークの帯域見積もり、コンテンツ管理リスト記憶部１４で管理している情報の送受信、ネットワークの切替を行うネットワーク制御部１３と、消費電力の計算を行う消費電力管理部１５と、を備えたネットワーク端末によってネットワークを構成し、分散管理されているファイルやコンテンツを最小の必要な消費電力で、ダウンロードする。【選択図】図１
2009271747.tif 000002
【特許請求の範囲】
【請求項１】
分散管理されているコンテンツファイルを分散管理している複数のネットワーク端末で構成する省電力コンテンツ管理システムであって、
前記省電力コンテンツ管理システムの前記ネットワーク端末は、他のネットワーク端末と通信を行う通信部と、自端末が保存するコンテンツに関する情報を記録したコンテンツ管理リスト及び周辺のネットワーク端末のコンテンツ管理リストを保存するコンテンツ管理リスト記憶部と、ネットワークの切り替えを行うネットワーク制御部と、消費電力の計算を行う消費電力管理部と、を備え、
前記ネットワーク端末は、前記コンテンツファイルをダウンロードする際に、ネットワーク上に設けられている同一の前記コンテンツファイルを有する他のネットワーク端末を探索経路に沿って探索し、前記コンテンツ管理リスト記憶部に記録されている自端末によるダウンロードに必要な消費電力情報と前記他のネットワーク端末からダウンロードする場合に必要な消費電力情報とを比較して、より小さい消費電力でダウンロードすることができるネットワーク端末を決定しながら、最終的に最小の消費電力で前記コンテンツファイルをダウンロードするようにしたことを特徴とする省電力コンテンツ管理システム。
【請求項２】
前記ネットワーク端末は、探索経路に沿って探索した結果、同一の前記コンテンツファイルを有する他のネットワーク端末を見つけたネットワーク端末から前記コンテンツファイルをダウンロード開始しながら、新しく発見され、決定された前記より小さい消費電力でダウンロードできる前記ネットワーク端末にダウンロードを引継ぎ、ネットワーク切り替えを行うことを特徴とする請求項１に記載の省電力コンテンツ管理システム。
【請求項３】
前記ネットワーク端末が、同一のコンテンツファイルを有する複数のネットワーク端末群を形成している場合に、前記ネットワーク端末群のうち、消費電力のより小さいネットワーク端末を優先して選択し、該ネットワーク端末から前記コンテンツファイルをダウンロードすることを特徴とする請求項１又は請求項２に記載の省電力コンテンツ管理システム。
【請求項４】
前記コンテンツ管理リスト記憶部は、コンテンツファイル名と、コンテンツファイルをダウンロードするために必要な前記消費電力情報とを一対の組として前記コンテンツ管理リストに保存することを特徴とする請求項１から請求項３のいずれか１項に記載の省電力コンテンツ管理システム。
【請求項５】
前記コンテンツ管理リスト記憶部は、ネットワーク端末が属しているネットワーク内で、ネットワークを構成する上で必要なネットワーク機器の消費電力を管理情報として前記コンテンツ管理リストに追加し、保存することを特徴とする請求項４に記載の省電力コンテンツ管理システム。
【請求項６】
前記ネットワーク制御部は、さらに、消費電力を計測するために、接続されているネットワークの帯域を調査し、前記消費電力管理部は、前記帯域に応じて、前記コンテンツ管理リストに記録されているコンテンツファイルをダウンロードする際に必要な前記消費電力を更新すること特徴とする請求項１から請求項５のいずれか１項に記載の省電力コンテンツ管理システム。
【請求項７】
さらに、前記消費電力管理部は、コンテンツファイルダウンロードの最中に、残りのダウンロード量から消費電力を随時更新することを特徴とする請求項１から請求項６のいずれか１項に記載の省電力コンテンツ管理システム。
【請求項８】
前記ネットワーク端末は、リアルタイム性が求められるコンテンツファイルのダウンロード時には、前記消費電力に関する情報に基づいて、消費電力が最小となるネットワーク端末を探索し、ダウンロードを行う代わりに、転送速度を優先してダウンロードすることを特徴とする請求項１から請求項７のいずれか１項に記載の省電力コンテンツ管理システム。
【発明の詳細な説明】
【技術分野】
【０００１】
本発明は、ネットワーク上で分散管理されているコンテンツファイルをダウンロードする際に、必要な消費電力を最小にできる省電力コンテンツ管理システムに関する。
【背景技術】
【０００２】
従来の技術では、分散管理されたファイルをダウンロードする際、ネットワーク負荷の軽減化や、ダウンロード速度の高速化が追求されてきた。そこで、ユーザーからの要求を受けてからダウンロードが完了するまでの時間を短縮するためにデータを保有している最初の端末が見つかった時点で、その端末からのダウンロードが開始されていた。
【０００３】
また、分散管理されている利点を活かし、同じファイルをもつ端末間でクラスタ（複数の端末を結合し、１つのシステムにしたもの）を形成し、分割ダウンロードすることで効率的なネットワーク利用を図り、高速なダウンロードを実現していた。
【０００４】
下記特許文献１に記載の技術では、検索回数の多いファイルについては他の端末へアップロードし、その端末と連携してファイルを提供することでネットワーク負荷が偏ることを回避することを開示している。
【特許文献１】特開２００４−６４２８４号公報
【発明の開示】
【発明が解決しようとする課題】
【０００５】
しかしながら、従来の方法では、特に、リアルタイム性を求めないコンテンツファイルの入手に対しては、ダウンロードの高速性は必要がないにもかかわらず、全てのファイルに一律に、高速のダウンロードを行っていた。そのため、必要なファイル及びコンテンツを入手するために必要な消費電力に関する考慮がなされていないため、電力消費について考慮せずにダウンロードが行われ、無駄な消費電力を使用するという問題があった。
【０００６】
また、上記の特許文献１に記載の技術も、ファイルをアップロードする端末の消費電力が考慮されていないために、ダウンロードする際に、無駄な消費電力が消費される。
【０００７】
そこで、本発明は、斯かる実情に鑑み、コンテンツファイルのダウンロード時の消費電力を考慮することで、電力消費を効率的に管理する省電力コンテンツ管理システムを提供することを目的とするものである。
【課題を解決するための手段】
【０００８】
本発明に係る省電力コンテンツ管理システムは、上記の課題を解決するため下記のような構成とし、以下のような特徴を有する。
【０００９】
本発明に係る省電力コンテンツ管理システムは、分散管理されているコンテンツファイルを分散管理している複数のネットワーク端末で構成する省電力コンテンツ管理システムであって、前記省電力コンテンツ管理システムの前記ネットワーク端末は、他のネットワーク端末と通信を行う通信部と、自端末が保存するコンテンツに関する情報を記録したコンテンツ管理リスト及び周辺のネットワーク端末のコンテンツ管理リストを保存するコンテンツ管理リスト記憶部と、ネットワークの切り替えを行うネットワーク制御部と、消費電力の計算を行う消費電力管理部と、を備え、前記ネットワーク端末は、前記コンテンツファイルをダウンロードする際に、ネットワーク上に設けられている同一の前記コンテンツファイルを有する他のネットワーク端末を探索経路に沿って探索し、前記コンテンツ管理リスト記憶部に記録されている自端末によるダウンロードに必要な消費電力情報と前記他のネットワーク端末からダウンロードする場合に必要な消費電力情報とを比較して、より小さい消費電力でダウンロードすることができるネットワーク端末を決定しながら、最終的に最小の消費電力で前記コンテンツファイルをダウンロードするようにしたことを特徴とする。
【００１０】
また、本発明に係る省電力コンテンツ管理システムにおいて、前記ネットワーク端末は、探索経路に沿って探索した結果、同一の前記コンテンツファイルを有する他のネットワーク端末を見つけたネットワーク端末から前記コンテンツファイルをダウンロード開始しながら、新しく発見され、決定された前記より小さい消費電力でダウンロードできる前記ネットワーク端末にダウンロードを引継ぎ、ネットワーク切り替えを行うことを特徴とする。
【００１１】
また、本発明に係る省電力コンテンツ管理システムは、前記ネットワーク端末が、同一のコンテンツファイルを有する複数のネットワーク端末群を形成している場合に、前記ネットワーク端末群のうち、消費電力のより小さいネットワーク端末を優先して選択し、該ネットワーク端末から前記コンテンツファイルをダウンロードすることを特徴とする。
【００１２】
また、本発明に係る省電力コンテンツ管理システムにおいて、前記コンテンツ管理リスト記憶部は、コンテンツファイル名と、コンテンツファイルをダウンロードするために必要な前記消費電力情報とを一対の組として前記コンテンツ管理リストに保存することを特徴とする。
【００１３】
また、本発明に係る省電力コンテンツ管理システムにおいて、前記コンテンツ管理リスト記憶部は、ネットワーク端末が属しているネットワーク内で、ネットワークを構成する上で必要なネットワーク機器の消費電力を管理情報として前記コンテンツ管理リストに追加し、保存することを特徴とする。
【００１４】
また、本発明に係る省電力コンテンツ管理システムにおいて、前記ネットワーク制御部は、さらに、消費電力を計測するために、接続されているネットワークの帯域を調査し、前記消費電力管理部は、前記帯域に応じて、前記コンテンツ管理リストに記録されているコンテンツファイルをダウンロードする際に必要な前記消費電力を更新すること特徴とする。
【００１５】
また、本発明に係る省電力コンテンツ管理システムにおいて、さらに、前記消費電力管理部は、コンテンツファイルダウンロードの最中に、残りのダウンロード量から消費電力を随時更新することを特徴とする。
【００１６】
また、本発明に係る省電力コンテンツ管理システムにおいて、前記ネットワーク端末は、リアルタイム性が求められるコンテンツファイルのダウンロード時には、前記消費電力に関する情報に基づいて、ダウンロードを行う代わりに、転送速度を優先してダウンロードすることを特徴とする。
【発明の効果】
【００１７】
本発明の省電力コンテンツ管理システムによれば、以下に示す優れた効果を奏し得る。
【００１８】
上記のように構成された本発明に係る省電力コンテンツ管理システムによれば、コンテンツファイルをダウンロードする際の必要な消費電力を最小にすることができ、ネットワークの運用上の電力消費を効率的に管理することができる。
【００１９】
また、本発明の省電力コンテンツ管理システムによれば、より少ない消費電力で同じファイルまたはコンテンツを提供できるネットワーク端末が見つかった場合に、そのネットワーク端末にデータ提供を移管することができる。
【００２０】
また、本発明の省電力コンテンツ管理システムによれば、同じネットワーク端末からのデータ提供でも別のネットワーク手段によって提供した方が効率的と判明すれば、この別のネットワーク経由でコンテンツファイルを提供できる。
【００２１】
また、本発明の省電力コンテンツ管理システムによれば、コンテンツファイルを分散管理しているネットワーク端末がコンテンツ管理リストに、コンテンツ情報とコンテンツを提供するために必要な消費電力情報を合わせて記憶することができ、効率的な処理を行うことができる、また、ネットワーク端末が複数のネットワークと通信する場合には、それぞれのネットワークで提供する場合における消費電力情報をコンテンツ管理リストに保持することができる。
【００２２】
また、本発明の省電力コンテンツ管理システムによれば、ネットワーク端末には、複数のネットワーク通信部を持つ端末もあるが、そのようなネットワーク構成の場合、間に別のネットワーク機器（例、無線ＬＡＮアクセスポイント）が介在している可能性がある。そのような場合、介在しているネットワーク機器の消費電力についても考慮できるように、使用するネットワーク手段に応じて追加される消費電力分についても消費電力管理部で管理し、コンテンツ管理リストに保存することができる。
【００２３】
このように、バックグラウンドでのダウンロードなど、コンテンツファイルのダウンロードにおいてリアルタイム性を求めないケースが実使用上でも多く、そのようなケースでは、ダウンロード速度よりも省電力の方がネットワークに対する運用コストの面で効果は大きい。
【発明を実施するための最良の形態】
【００２４】
以下、本発明に係る省電力コンテンツ管理システムについて図面を参照しながら説明を行う。なお、図１〜図１２は発明を実施する形態の一例であって、図中、図と同一の符号を付した部分は同一物を表わすものである。
＜第１の実施形態の説明＞
図１は、本実施形態に係る省電力コンテンツ管理システムに使用するネットワーク端末の一構成例を示す概略ブロック図である。
【００２５】
図１に示すように、本実施形態に係る省電力コンテンツ管理システムに使用するネットワーク端末として、例えば、ネットワーク端末１０は、他のネットワーク端末と通信を行うネットワークＡ通信部１１及びネットワークＢ通信部１２と、自端末が保存しているコンテンツに関する情報とそれを提供するために必要な消費電力の情報を記録しているコンテンツ管理リスト及び周辺のネットワーク端末のコンテンツ管理リストを保存するコンテンツ管理リスト記憶部１４と、ネットワークの帯域見積もり、コンテンツ管理リスト記憶部１４で管理している情報の送受信、ネットワークＡ，Ｂの切替を行うネットワーク制御部１３と、消費電力の計算を行う消費電力管理部１５と、を有している。
【００２６】
図２（ａ）は、コンテンツ管理リスト記憶部１４に格納されている情報例を示すコンテンツ管理リストであり、（ｂ）は、追加情報としてコンテンツファイルを分散管理していないネットワーク機器の消費電力も管理しているコンテンツ管理リストである。
【００２７】
図２（ａ）、（ｂ）に示すように、コンテンツ管理リスト１６、１７では、自分が保管しているコンテンツファイル名と、そのコンテンツファイルを提供するために必要な最新の消費電力情報と、コンテンツファイルを分散管理しているネットワーク端末以外で、ネットワークを構成しているネットワーク機器の最新の消費電力情報と、を有している。
【００２８】
次に、上記のように構成されるネットワーク端末を含む省電力コンテンツ管理システムの概略システム動作について、図３及び図４を用いて、以下に説明する。
【００２９】
図３は、本実施形態に係る省電力コンテンツ管理システムの消費電力が最小になるようにコンテンツファイルを提供する動作を示すシステム系統図である。
【００３０】
図４に示すように、従来のコンテンツ管理システムでは、ネットワーク端末Ｓから分散管理されているコンテンツファイルのダウンロード要求を出力した場合、最初に見つかったファイル（キャッシュされているデータ）を有するネットワーク端末Ｔからダウンロードを即座に開始するようにしていたが、本実施形態の省電力コンテンツ管理システムでは、図３に示すように、コンテンツファイルのダウンロードを要求するネットワーク端末２０は、まず、最初に、ダウンロードを要求したコンテンツファイルを有するネットワーク端末１０を見つける。そして、このネットワーク端末１０は、そのコンテンツを提供するために必要な消費電力情報を記録しているコンテンツ管理リスト１６を有しており、この情報に基づいて、もっと消費電力が小さくて済む端末がないかを継続して、ネットワークＢを介して検索を行う。
【００３１】
検索するホップ数（端末間移動回数）については、使用しているコンテンツファイル検索手段ごとに決められている制限（例えば、ＴＴＬ：Ｔｉｍｅ  Ｔｏ  Ｌｉｖｅ）で制限してもよいし、消費電力検索用のホップ数で新たに制限してもよい。
【００３２】
制限回数内でより消費電力の最も小さいネットワーク端末（図３の例では、ネットワーク端末３０）が見つかれば、そのネットワーク端末からダウンロードを開始する。
【００３３】
このように、消費電力が最小となるネットワーク端末を検索することが可能である。
＜第２の実施形態の説明＞
続いて、第２の実施形態に係る省電力コンテンツ管理システムのシステム構成と動作について説明する。
【００３４】
図５に示すように、最初のネットワーク端末１０が見つかった時点で、ネットワークＡを介して、いったんダウンロードを開始するが、ネットワーク端末１０は、別のネットワーク端末の検索を継続し、さらに、消費電力か小さいネットワーク端末が見つかった場合、そのネットワーク端末からのダウンロードに切り替えることもできる。これにより、消費電力の軽減、ダウンロード時間を短縮することが可能である。
【００３５】
なお、ネットワーク端末が接続されているネットワークの消費電力状況は常に変化しているため、あるコンテンツを提供するために必要な消費電力も変化する。これは、同じサイズのコンテンツをダウンロードする場合でも、ネットワーク速度が速ければ、提供元のネットワーク端末はすぐに提供を終え、省電力モードに入ることができるが、ネットワーク速度が遅いと、ダウンロード完了に時間がかかるために消費電力が増加する。よって、図６に示すように、ネットワーク端末１０のネットワーク制御部１３は、ネットワーク帯域を調査し、その結果をコンテンツ管理リストに反映する。
【００３６】
続いて、コンテンツファイルを分散管理していないネットワーク機器が存在する場合の省電力コンテンツ管理システムのシステム構成と動作について説明する。
【００３７】
図７は、コンテンツファイルを分散管理していないネットワーク機器が存在する場合の構成及び動作を示すシステム系統図である。
【００３８】
図７に示すように、ネットワーク端末１０とネットワーク端末３５は、コンテンツファイルを分散管理していないネットワーク機器、例えば、無線ＬＡＮアクセスポイントを介してネットワークに接続されているシステム構成となっている。
【００３９】
このような構成において、図５に示す省電力コンテンツ管理システムの動作の場合と同様に、最初に見つかったネットワーク端末１０（消費電力；３０Ｗ）から更に検索を継続し、検索の結果、最初に見つかったネットワーク端末１０よりもコンテンツファイルの提供に必要な消費電力が小さいネットワーク端末３５（消費電力；２０Ｗ）が見つかった場合に、このネットワーク端末３５は、無線ＬＡＮアクセスポイントを経由してネットワークに接続されているため、その分の消費電力を考慮に入れると、消費電力は、２０Ｗ＋１５Ｗ＝３５Ｗとなり、ネットワーク端末１０よりも消費電力が大きい。よって、ネットワーク端末１０から最初に見つかった時点で開始されていたダウンロードを継続する。
【００４０】
以上説明したように、分散管理されているコンテンツファイルをダウンロードするときに、必要な消費電力を考慮することで、ネットワーク全体の消費電力を小さくすることができる。
＜第３の実施形態の説明＞
続いて、第３の実施形態に係る省電力コンテンツ管理システムのシステム構成と動作について説明する。
【００４１】
ダウンロード時間の短縮化を図るために、本実施形態の省電力コンテンツ管理システムは、図８に示す従来のコンテンツ管理システムと同様に、データの転送速度重視の場合には、同じコンテンツファイルを保有しているネットワーク端末間でクラスタを構成している各端末から分割ダウンロードする。しかし、特に、ダウンロードにリアルタイム性が必要ない場合には、図９に示すように、ネットワーク消費電力状況を監視し、必要な消費電力を計算して、消費電力の小さいネットワーク端末からダウンロードすることによって、消費電力を抑えるモードで動作する。
【００４２】
ここで、１つのネットワーク端末から取得した方がいいのか、消費電力に有利な複数のネットワーク端末から入手した方がいいのかについては、その時のコンテンツのサイズ、実行速度などから消費電力を随時計算し、判断する。
【００４３】
次に、上記実施形態に係る省電力コンテンツ管理システムの詳細動作について、図１０から図１２までのフローチャート図を参照しながら、以下に説明する。
＜実施例１＞
本実施例は、第１の実施形態に係る省電力コンテンツ管理システムの詳細動作について説明する。
【００４４】
図１０は、ネットワーク端末からコンテンツファイルをダウンロードする場合の処理を示すフロー図である。
【００４５】
ネットワーク端末２０は、ファイルＡの要求を受けると（ステップＳ１）、それを保有しているネットワーク端末を検索するために、自分が管理しているネットワーク端末に向かって要求を出す（ステップＳ２）。要求を受けたネットワーク端末は、ファイルＡを保有していなければ（ステップＳ３；ＮＯ）、探索範囲を超えているか否かを判断する（ステップＳ４）。探索範囲を超えていなければ（ステップＳ４；ＮＯ）、ステップＳ２に処理を戻し、今度はそのネットワーク端末が管理している別のネットワーク端末に向かって、要求を転送する。検索の結果ファイルが見つからなければ（ステップＳ４；ＹＥＳ）、要求されたコンテンツファイルは存在しないとして、処理を終了する（ステップＳ５）。
【００４６】
ファイルＡの検索結果、ファイルＡが発見されても、別の端末ネットワークは、ファイルの探索を継続する（ステップＳ６）。探索継続の結果、ファイルＡが見つかると（ステップＳ７；ＹＥＳ）、消費電力の比較を行う（ステップＳ８）。より小さい消費電力を有する他のネットワーク端末が見つかれば（ステップＳ８；ＹＥＳ）、今度はそのネットワーク端末が基点となってファイルＡの検索を継続し、探索範囲を超えているか否かを判断する（ステップＳ９）。探索範囲を超えていなければ（ステップＳ９；ＮＯ）、ステップＳ６の処理に戻り、探索が継続され、探索制限を越えるまで続けられる。
【００４７】
ステップＳ９において、探索制限を越えている場合には（ステップＳ９；ＹＥＳ）、現在のネットワーク端末からダウンロードを開始する（ステップＳ１０）。
【００４８】
ステップＳ７において、ファイルＡが見つからなかった場合には（ステップＳ７；ＮＯ）、ステップＳ９の処理と同様に、探索範囲を超えているか否かを判断し（ステップＳ１１）、探索範囲を超えていなければ（ステップＳ１１；ＮＯ）、ステップＳ６の処理に戻り、探索が継続され、探索制限を越えるまで続けられる。ここで、探索制限を越えている場合には（ステップＳ１１；ＹＥＳ）、最初に見つかった最小の消費電力のネットワーク端末からダウンロードが開始される。
【００４９】
以上のように、最終的に見つかった最小の消費電力のネットワーク端末からダウンロードを開始することができる。
＜実施例２＞
次に、本実施例は、第２の実施形態に係る省電力コンテンツ管理システムの詳細動作について、図１１を参照して、説明する。
【００５０】
なお、上記実施例１と異なっているところについてのみ説明するものとする。
【００５１】
まず、ステップ２６にて最初にファイルＡを保有している端末が発見された時点でダウンロードを開始する。その後、ステップ２８以降で、より消費電力の小さい端末の検索は継続され、ステップ３１にて有利なネットワーク端末が発見されると、ステップ３２にてダウンロード処理を現在の端末から引き継ぐことで消費電力の低減が可能となる。探索は、ステップ２９またはステップ３３において、探索制限を越えるまで続けられる。最終的に見つかった最も消費電力の小さい端末にダウンロード処理は引き継がれ、ダウンロード処理が行われる。
＜実施例３＞
次に、本実施例は、第３の実施形態に係る省電力コンテンツ管理システムの詳細動作について、図１２を参照して、説明する。
【００５２】
図１２は、複数の端末からコンテンツファイルをダウンロードし、消費電力が小さくなるような処理の流れを示すフローチャート図である。
【００５３】
ネットワーク端末２０は、ファイルＡの要求を受けると（ステップＳ４１）、それを保有しているネットワーク端末を検索するために、自分が管理しているネットワーク端末に向かって要求を出す（ステップＳ４２）。ファイルＡを保有している端末が発見されると（ステップＳ４３；ＹＥＳ）、そのネットワーク端末がクラスタを構成しているかどうかを確認する（ステップＳ４６）。クラスタを構成していない場合には（ステップＳ４６；ＮＯ）、図１０または図１１のステップＳ１、ステップＳ２１へ移行する。
【００５４】
ネットワーク端末がクラスタを形成している場合には（ステップＳ４６；ＹＥＳ）、ネットワーク端末群５０の各端末が受け持つダウンロードサイズとネットワークの現状から必要な消費電力を再計算する（ステップＳ４８）。消費電力に有利な構成を発見できたならば（ステップＳ４９；ＹＥＳ）、構成を再構築し（ステップＳ５０）、新しい構成でダウンロードを開始する（ステップＳ５１）。ステップＳ４９の処理において、現状では消費電力に有利な構成が見つからなければ（ステップＳ４９；ＮＯ）、現行の構成でダウンロードを開始する（ステップＳ５２）。ステップ５０の再構築処理としては、最も消費電力の高い端末の上位何台かを外すことなどが考えられる。
【００５５】
一方、ダウンロードが完了すると（ステップＳ５３；ＹＥＳ）、処理完了となるが、ダウンロードが完了していなければ（ステップＳ５３；ＮＯ）、ダウンロードを継続し（ステップＳ５４）、ステップ４８の処理に戻り、残りサイズ、ネットワーク状況から最新の消費電力を再計算し、消費電力に有利な構成が存在しないかを確認する。ステップＳ４８の処理に戻る方法として、例えば、定期的に行う方法、ダウンロードサイズの半分をダウンロードした時点で確認する方法も考えられる。
【００５６】
このように、本実施形態に係る省電力コンテンツ管理システムは、ファイル及びコンテテンツをダウンロードする時に必要な消費電力をできる限り小さくすることができる。
【００５７】
尚、本発明の省電力コンテンツ管理システムは、上述の図示例にのみ限定されるものではなく、本発明の要旨を逸脱しない範囲内において種々変更を加え得ることは勿論である。
【産業上の利用可能性】
【００５８】
本発明は、コンテンツファイルが分散管理されているネットワークシステムに利用可能である。
【図面の簡単な説明】
【００５９】
【図１】本発明に係る省電力コンテンツ管理システムに使用するネットワーク端末の一構成例を示す概略ブロック図である。
【図２】（ａ）は、コンテンツ管理リスト記憶部に格納されている情報例を示すコンテンツ管理リストであり、（ｂ）は、コンテンツ管理リスト記憶部に格納されている情報例を示すコンテンツ管理リストである。
【図３】第１の実施形態に係る省電力コンテンツ管理システムの消費電力が最小になるようにコンテンツファイルを提供する動作を示すシステム系統図である。
【図４】従来のネットワーク端末のみで構成されるネットワークにおけるコンテンツファイルを提供する動作を示すシステム系統図である。
【図５】第２の実施形態に係る省電力コンテンツ管理システムの消費電力が最小になるように、ネットワーク端末を検索しコンテンツファイルを提供する動作を示すシステム系統図である。
【図６】省電力コンテンツ管理システムのネットワーク端末が管理するコンテンツファイルを提供するために必要な消費電力情報を更新する動作を示すシステム系統図である。
【図７】第２の実施形態に係る省電力コンテンツ管理システムのコンテンツファイルを分散管理していないネットワーク機器が存在する場合の動作を示す系統図である。
【図８】同一のコンテンツファイルを保存している端末群の各ネットワーク端末から一律に高速ダウンロードを行う場合の動作を示すシステム系統図である。
【図９】第３の実施形態に係る省電力コンテンツ管理システムにおける同一のコンテンツを所有する端末群のネットワーク端末から消費電力を最小にするようにコンテンツファイルを高速ダウンロードで提供する場合の動作を示すシステム系統図である。
【図１０】第１の実施形態に係る省電力コンテンツ管理システムおける消費電力が最小となるような処理の流れを示すフローチャート図である。
【図１１】第２の実施形態に係る省電力コンテンツ管理システムおける消費電力が最小となるような処理の流れを示すフローチャート図である。
【図１２】第３の実施形態に係る省電力コンテンツ管理システムおける消費電力が最小となるような処理の流れを示すフローチャート図である。
【符号の説明】
【００６０】
１０、２０、３０、３５  ネットワーク端末
１１  ネットワークＡ通信部
１２  ネットワークＢ通信部
１３  ネットワーク制御部
１４  コンテンツ管理リスト記憶部
１５  消費電力管理部
１６、１７  コンテンツ管理リスト
４０  従来のネットワーク端末群
５０  ネットワーク端末群
６０  ネットワーク機器
【図１】
2009271747.tif 000003
【図２】
2009271747.tif 000004
【図３】
2009271747.tif 000005
【図４】
2009271747.tif 000006
【図５】
2009271747.tif 000007
【図６】
2009271747.tif 000008
【図７】
2009271747.tif 000009
【図８】
2009271747.tif 000010
【図９】
2009271747.tif 000011
【図１０】
2009271747.tif 000012
【図１１】
2009271747.tif 000013
【図１２】
2009271747.tif 000014